(57)【要約】【課題】  在室であっても、一定時間、呼出があると、強制的に通話路を形成して、管理人室からの伝言を録音できるようにする。【解決手段】  管理人室親機２０と接続され、その管理人室親機２０からの呼出に応じて通話操作が行われると、切換回路４５を切り換えて、通話路を形成する住宅情報盤４０において、管理人室親機２０からの呼出がある時から所定時間を計測するタイマ４６を設け、所定時間が経過したことを判断したら、切換回路４５を切り換えて、通話路を形成する。また、切換回路に接続される通話部４３と、その通話部に接続される録音部４７とを設けて、所定時間が経過して切換回路が切り換えられるとき、録音部により前話部から出力される音声を録音する。【選択図】図２
2007116485.tif 000002
【特許請求の範囲】
【請求項１】
管理人室親機と接続され、該管理人室親機からの呼出に応じて通話操作が行われると、切換回路を切り換えて、通話路を形成する住宅情報盤において、
前記管理人室親機からの呼出がある時から所定時間を計測するタイマを設け、
前記所定時間が経過したことを判断したら、前記切換回路を切り換えて、通話路を形成することを特徴とする住宅情報盤。
【請求項２】
前記切換回路に接続される通話部と、該通話部に接続される録音部とを設け、
前記所定時間が経過して切換回路が切り換えられるとき、前記録音部により前記通話部から出力される音声を録音することを特徴とする請求項１記載の住宅情報盤。
【請求項３】
カメラを有する玄関機からの映像を表示するモニタを設け、
前記録音部による録音が行われたとき、前記モニタに録音が行われたことを表示することを特徴とする請求項２記載の住宅情報盤。
【請求項４】
集合玄関機と接続され、該集合玄関機からの呼出に応じて通話操作が行われると、切換回路を切り換えて、通話路を形成する住宅情報盤において、
前記集合玄関機からの呼出がある時から所定時間を計測するタイマを設け、
前記所定時間が経過したことを判断したら、前記切換回路を切り換えて、通話路を形成することを特徴とする住宅情報盤。
【発明の詳細な説明】
【技術分野】
【０００１】
この発明は、住宅情報盤に関する。
【背景技術】
【０００２】
集合住宅等においては、共同玄関にカメラを有する集合玄関機が設置され、住戸の玄関にカメラを有するテレビドアホン（玄関子機）が設置される。これら玄関機のカメラで撮像された画像は、住戸内に設置した住宅情報盤のモニタで表示される。
【０００３】
また、集合住宅の管理人室には、管理人室親機が設置され、各住戸の住宅情報盤を個別に呼び出すことができるようになっている。住宅情報盤には、留守の際の訪問客に備えて、「留守録」用のスイッチが設けられ、このスイッチをオンにしておくことで、不在時の訪問客の画像を録画したり、音声を録音できるようにしてある（例えば、特許文献１、２参照）。この録音録画機能は、管理人室からの管理人の伝言も録音できるようになっている。
【特許文献１】特開平４−４５６４４号公報
【特許文献２】特開平９−２６１６２４号公報
【発明の開示】
【発明が解決しようとする課題】
【０００４】
従来の住宅情報盤に設けられる録画録音装置は、留守の設定、つまり在室しているか不在であるかを設定する「在・不在」の設定スイッチの状態によって録音等が行われるようになっている。このため、居住者が、風呂やトイレなどにいる在室の場合であって、設定スイッチが不在になっていないときに呼出がかかると、呼出音が長い間、鳴りっぱなしになるだけであり録音等がされないという問題があった。
【０００５】
そこで、本発明は、在室であっても、一定時間、呼出があると、強制的に通話路を形成して、管理人室からの伝言を録音できるようにすることを目的とする。
【課題を解決するための手段】
【０００６】
本発明は、管理人室親機と接続され、該管理人室親機からの呼出に応じて通話操作が行われると、切換回路を切り換えて、通話路を形成する住宅情報盤において、管理人室親機からの呼出がある時から所定時間を計測するタイマを設け、所定時間が経過したことを判断したら、切換回路を切り換えて、通話路を形成することを特徴とするものである。
【０００７】
また、切換回路に接続される通話部と、その通話部に接続される録音部とを設け、所定時間が経過して切換回路が切り換えられるとき、録音部により通話部から出力される音声を録音することを特徴とするものである。
【０００８】
また、カメラを有する玄関機からの映像を表示するモニタを設け、録音部による録音が行われたとき、モニタに録音が行われたことを表示することを特徴とするものである。
【発明の効果】
【０００９】
この発明によれば、管理人室親機からの呼出があると、その時からタイマを動かして所定時間を計測する。そして、所定時間が経過したことを判断したら、切換回路を切り換えて、管理人室親機と住宅情報盤の通話路を形成して、両者間で通話を行える状態にする。
【００１０】
このように本発明の住宅情報盤では、その呼出の継続時間に基づいて、通話路を自動的に形成するようにしたので、管理人室からの呼出によって呼出音が長い間、鳴りっぱなしになることがない。また、不在ではなく、風呂やトイレにいる場合、又は料理中などで手が離せない場合で、通話に応じられなくても、通話路が自動的に形成されるので、管理人室からの一方的な伝言を聞くことが可能となる。
【００１１】
また、呼出が所定時間にわたって継続して行われることに基づいて、居住者が不在であると判断し、通話部から出力される音声の録音を開始するようにしたので、「在・不在」の設定スイッチが不要となる。
【００１２】
また、録音部による録音が行われたとき、モニタに録音が行われたことを表示するようにしたので、ＬＥＤによる表示に比べ、録音がされたことを認識しやすくなる。
【発明を実施するための最良の形態】
【００１３】
この発明の実施の形態を添付図１乃至図２に基づき説明する。なお、図１は、この発明の住宅情報盤を含んだインターホンシステムの構成を示すブロック図であり、図２は、住宅情報盤のブロック図である。
【００１４】
図１のインターホンシステムは、集合玄関機１０、管理人室親機２０、通話制御装置３０及び住宅情報盤４０から構成されている。そして、住宅情報盤４０は、通話制御装置３０を介して、集合玄関機１０、管理人室親機２０と接続されており、通話制御装置３０を介して相互に通話可能になっている。
【００１５】
集合玄関機１０はカメラ１１を有しており、訪問者を撮影してその映像信号を通話制御装置３０を介して訪問先の住宅情報盤４０に送信する。住宅情報盤４０にはドアホン５０が接続されており、ドアホン５０にはカメラ５１が内蔵されている。住宅情報盤４０は住戸内に取り付けられ、ドアホン５０は住戸の玄関等の外側に取り付けられ、ドアホン５０のカメラ５１は訪問者を撮影すると、その映像信号を住宅情報盤４０に出力する。なお、図１において、各機器が通話線Ｔで接続されている状態を示したが、各機器は通話線Ｔだけでなく、映像信号線や伝送用の制御線にも、通話線Ｔと同様に接続されている。
【００１６】
管理人室親機２０は、住宅情報盤４０を指定するテンキー２１と、テンキー２１で指定された住戸番号の住宅情報盤４０を呼び出す呼出釦２２と、スピーカやマイクからなる通話部２３を少なくとも備え、後述する住宅情報盤４０とほぼ同じ機能を有している。
【００１７】
住宅情報盤４０の内部構成について図２を用いて説明する。４１は制御線Ｌに接続された呼出信号検出部で、集合玄関機１０や管理人室親機２０からの呼出信号を検出する。４２は音響部で、呼出信号を検出した時に、呼出音を出力する。４３は切換回路４５に接続された通話部で、スピーカやマイクから構成される。４４は通話釦である。４５は切換回路としての切換スイッチで、管理人室親機２０等からの呼出に応じて通話操作、例えば通話釦２４の押し操作が行われると、切り換えられて、住宅情報盤４０の通話部４３と、管理人室親機２０の通話部２３とを接続するように通話路を形成する。
【００１８】
４６はタイマで、管理人室親機２０からの呼出がある時から所定時間、例えば１０秒間を計測する。４７は通話部４３に接続される録音部で、管理人室親機２０からの音声を所定時間、例えば３０秒程度録音できるものである。録音部４７には、録音された音声が順次格納され、メモリ容量が全て使用されている時には、一番古い案件の音声が削除されて上書きされる。
【００１９】
４８は集合玄関機１０やドアホン５０などの玄関機からの映像を表示するモニタである。４９はＭＰＵなどから構成される制御部で、住宅情報盤４０内の各構成ブロックである呼出信号検出部４１〜モニタ４８に接続されて、各ブロックと信号命令のやりとりをして各ブロックを制御する。具体的には、タイマ４６により、所定時間が経過したことを判断したら、切換回路４５を切り換えて、通話路を自動的に形成する。また、その切り換えの際、録音部４７により通話部４３から出力される音声を録音するように制御する。そして、この録音部４７による録音が行われたとき、モニタ４８に録音が行われたことを表示する。
【００２０】
次に、この発明の動作について説明する。まず住戸内に居住者がいて呼出に応答する場合について説明する。管理人室親機２０のテンキー２１を操作して住戸番号を入力し呼出釦２２を押して、ある住戸を呼び出すと、制御線Ｌを介して、その住戸を指定した呼出信号が送出される。呼び出された住宅情報盤４０側では、呼出信号検出部４１が呼出信号を検出して、音響部４２から呼出音が出力される。ここで、通話釦４４を押すと、切換回路４５が切り換えられて、住宅情報盤４０の通話部４３と管理人室親機２０の通話部２３が接続されるように通話路が形成され、両者の間で通話が可能となり、管理人から居住者へ連絡事項を伝えることができる。
【００２１】
続いて、住戸内に居住者がいない不在状態、又は料理等で手が離せない場合について説明する。同様にして、管理人室親機２０から特定の住戸を呼び出すと、住宅情報盤４０の音響部４２から呼出音が鳴る。また呼出信号検出部４１が呼出信号を検出すると、その時からタイマ４６を動かして１０秒間を計測する。そして、呼出状態が継続して、通話釦４４の操作がなく、１０秒間が経過したことを判断したら、制御部４９は、切換回路４５を切り換えて、管理人室親機２０と住宅情報盤４０の通話路を自動的に形成して、両者間で通話を行える状態にする。
【００２２】
この際、特定の音、例えば「ピー」という音を管理室親機２０の通話部２３から出力することで、回線が、居住者の操作によってではなく、自動接続されたことをわからせるようにする。そして管理人が「宅配便を預かっています」とか「落とし物が届いています」などの連絡事項を通話部２３を介して伝えると、その音声は、住宅情報盤４０側で通話部４３を介して出力されると共に、録音部４７で録音されるように制御される。
【００２３】
このように本発明の住宅情報盤４０では、その呼出の継続時間に基づいて、通話路を自動的に形成するようにしたので、管理人室からの呼出によって呼出音が長い間、鳴りっぱなしになることがない。また、不在ではなく、風呂やトイレにいる場合や料理中などで手が離せない場合で、通話に応じられなくても、通話路が自動的に形成されるので、管理人室からの伝言を聞くことが可能となる。特に管理人室からの伝言は、「落とし物が届いています」などの一方的な連絡事項が多いので、通話釦４４を押さずに、自動で回線が接続されると、手の離せない忙しい時は便利である。
【００２４】
また、呼出が所定時間にわたって継続して行われることに基づいて、居住者が不在であると判断し、通話部４３から出力される音声の録音を開始するようにしたので、「在・不在」の設定スイッチが不要となる。
【００２５】
次に、モニタ４８によるメッセージの出力について説明する。モニタ４８は、集合玄関機１０等のカメラ１１が撮像した画像を表示するものであるが、通常時は、モニタ４８にはメニュー画面が表示されている。モニタ４８の横や下には、数個の釦が配置され、モニタ４８上に釦の操作内容を表示して、モニタ４８の表示内容を切り換える毎に、釦の役割を変更させることできるようになっている。
【００２６】
このモニタに表示される釦の役割としては、録音部４７で録音された音声を再生する再生釦、不要な録音音声を消去する消去釦、モニタ４８に表示されている画面を次の案件に送る送り釦、モニタ２８に表示されている画面を、一件分戻すかメニュー画面に戻す戻す釦などがある。
【００２７】
そして、録音部４７による録音が行われたときは、モニタ４８に録音が行われたことを表示する。例えば大きな文字で「管理室伝言あり」というようにモニタ４８に表示する。録音部による録音が行われたとき、このような表示を行えば、単一のＬＥＤによる表示に比べ、録音がされたことを認識しやすくなる。
【００２８】
なお、実施形態においては、管理人室親機から呼出信号を受信したときにに、タイマにより所定時間を計測するように制御する場合について説明したが、集合玄関機からの呼出信号を受信したときにも、このタイマを起動して、所定時間が経過したら、切換回路を切り換えて、通話路を形成するように制御してもよい。勿論、この場合にも、通話部に接続される録音部を設けて、所定時間が経過して切換回路が切り換えられるとき、録音部により通話部から出力される音声を録音するようにする。
【００２９】
集合玄関機からの呼出は、家族や訪問者のようにある程度の通話が必要になる場合もあるが、セールスや押し売りのように、相手からの要件を応じることなく、聞き流せばいいいようなケースもあるので、通話釦を押さずに、自動で回線が接続されると、手の離せない忙しい時は便利である。なお、集合玄関機からの呼出信号か管理人室親機からの呼出信号かは、呼出信号を構成する制御信号のコマンドを識別することで、住宅情報盤の制御部は、どちらから呼出がかかっているかを識別することができる。
【００３０】
また、呼出で自動的に回線を接続する場合には、スピーカのアンプのゲインを大きくして、出力される音声の音量を自動的に大きくするようにしてもよい。こうすると、居住者が通話釦が押せない、室内の遠い場所にいても伝言を聞くことができる。また呼出で自動的に回線を接続する場合には、その際に、通話部に接続されたミュート回路（部）を起動して、こちらの音声を管理人親機や集合玄関機に出力させないようにしてもよい。
【図面の簡単な説明】
【００３１】
【図１】住宅情報盤を含んだインターホンシステムのブロック図である。
【図２】住宅情報盤のブロック図である。
【符号の説明】
【００３２】
１０  集合玄関機、  １１  カメラ、  ２０  管理人室親機、
２１  テンキー、  ２２  呼出釦、  ２３  通話部、  ３０  通話制御装置、
４０  住宅情報盤、  ４１  呼出信号検出部、  ４２  音響部、  ｔｔ
４３  通話部、  ４４  通話釦、  ４５  切換回路、  ４６  タイマ、
４７  録音部、  ４８  モニタ、  ４９  制御部、  ５０  ドアホン、
【図１】
2007116485.tif 000003
【図２】
2007116485.tif 000004